(57)【要約】【課題】  水中ポンプによって取水・排水を実施することができ、しかも、容易に移設することができる陸上設置型取水装置を提供する。【解決手段】  取水域から吸込管を介して水を吸引して溜める陸上に設置された取水槽と該取水槽に内設された水中ポンプと該水中ポンプに接続されて取水槽に溜った水を排出する吐出管と吸込管から分岐して該吸込管の分岐位置より上方の取水槽上部に連通されて該取水槽内に開口した吸気管と該吸気管に間隙を有して内包されて吸気管の取水槽側開口へ向かって延設された噴射管とを備えてなり、噴射管から取水槽内へ向かって水流を噴射させて吸気管を介して吸込管内の空気を取水槽に吸引して該吸込管内を減圧させ、負圧状態となった吸込管の吸引力によって取水域から水を吸い込んで当該取水槽に溜った水を前記水中ポンプにより排出する陸上設置型取水装置。【選択図】  図１
2006342563.tif 000002
【特許請求の範囲】
【請求項１】
取水域から吸込管を介して水を吸引して溜める陸上に設置された取水槽と該取水槽に内設された水中ポンプと該水中ポンプに接続されて取水槽に溜った水を排出する吐出管と吸込管から分岐して該吸込管の分岐位置より上方の取水槽上部に連通されて該取水槽に開口した吸気管と該吸気管に間隙を有して内包されて吸気管の取水槽側開口へ向かって延設された噴射管とを備えてなり、噴射管から取水槽内へ向かって水流を噴射させて吸気管を介して吸込管内の空気を取水槽に吸引して該吸込管内を減圧させ、負圧状態となった吸込管の吸引力によって取水域から水を吸い込んで当該取水槽に溜った水を前記水中ポンプにより排出することを特徴とする陸上設置型取水装置。
【請求項２】
噴射管が、吐出管から分岐した導管であり、水中ポンプによって取水槽内の水が噴射管から噴射される請求項１記載の陸上設置型取水装置。
【請求項３】
吸込管にはさらに取水域に投入されるストレーナが接続されていると共に該ストレーナには吐出管から分岐した逆流管が接続されており、当該ストレーナが、前記吸込管を接続する吸込室と、該吸込室に併設されて前記逆流管を接続する逆流室と、当該吸込室の取水域側吸込口と当該逆流室の取水域側排出口とが同一方向に開口して共通する開口室を形成して該開口室を前記吸込口と前記排出口とを含んで仕切壁によって二分してなりそれぞれ濾過部によって塞がれた一対の流出入口と、当該流出入口の一方の流出入口には該一方の流出入口を共通して有する前記仕切壁により二分された一方の吸込口と同じく前記仕切壁により二分された一方の排出口とが形成されていると共に前記他方の流出入口には該他方の流出入口を共通して有する前記仕切壁により二分された他方の吸込口と同じく前記仕切壁により二分された他方の排出口とが形成されて前記一方の吸込口を塞いだときには前記他方の吸込口が開くと共に前記他方の吸込口を塞いだときには前記一方の吸込口が開く前記吸込口に設けられた第一逆作動弁と、前記一方の排出口を塞いだときには前記他方の排出口が開くと共に前記他方の排出口を塞いだときには前記一方の排出口が開く前記排出口に設けられた第二逆作動弁とから構成され、前記第一逆作動弁によって一方の吸込口が閉じられたときには前記第二逆作動弁によって一方の排出口が開き、前記第二逆作動弁によって他方の排出口が開かれたときには前記第一逆作動弁によって他方の吸込口が閉じる請求項１又は請求項２記載の陸上設置型取水装置。
【発明の詳細な説明】
【技術分野】
【０００１】
本発明は、河川、用水路、溜池、溜井戸、湖、ダム等の水を陸上に設置した水中ポンプを使用して取水する陸上設置型取水装置に関するものである。
【背景技術】
【０００２】
周知の通り、河川、用水路、溜池、溜井戸、湖、ダム等（以下、総称して「取水域」ともいう。）の水を取水して排出する取水装置には、水中に設置される水中設置型と陸上に設置される陸上設置型とがある。そして、水中設置型取水装置では、前記取水域中に水中ポンプを配置して該水中ポンプにより汲み上げて取水・排出するようになっており、陸上設置型取水装置では、陸上に設けられた施設に配置された揚水ポンプにより吸い上げて取水・排出するようになっている。
【０００３】
前記陸上設置型取水装置として、例えば、特許文献１には、水源に近い地上部の配管ダクトに水中ポンプを配置し、別に堤内に配置した真空ポンプ、補水槽及び真空排水タンク等の呼び水機器からの抽気ラインによりポンプ揚水の確立を強化して取水する堤防横過揚水装置が開示されている。
【０００４】
【特許文献１】特公平６−１９１５２号公報
【発明の開示】
【発明が解決しようとする課題】
【０００５】
前記水中設置型取水装置では、水中ポンプにより容易に取水することができるが、水中ポンプを取水域の水中に配置するための土木工事に膨大な費用を必要とし、一度設置すれば移設できないという問題点があった。
【０００６】
また、前記陸上設置型取水装置に分類できる特許文献１の堤防横過揚水装置では、水中ポンプに加えて取水を吸引するための真空ポンプを必要とするので、当該ポンプ間における配管が複雑となってポンプ設備の保守管理に手間が掛るという問題点があった。
【０００７】
そこで、本発明は、水中ポンプによって取水・排水を実施することができ、しかも、容易に移設することができる陸上設置型取水装置を提供することを技術的課題とするものである。
【課題を解決するための手段】
【０００８】
前記技術的課題は、次の通りの本発明によって解決できる。
【０００９】
即ち、本発明に係る陸上設置型取水装置は、取水域から吸込管を介して水を吸引して溜める陸上に設置された取水槽と該取水槽に内設された水中ポンプと該水中ポンプに接続されて取水槽に溜った水を排出する吐出管と吸込管から分岐して該吸込管の分岐位置より上方の取水槽上部に連通されて該取水槽内に開口した吸気管と該吸気管に間隙を有して内包されて吸気管の取水槽側開口へ向かって延設された噴射管とを備えてなり、噴射管から取水槽内へ向かって水流を噴射させて吸気管を介して吸込管内の空気を取水槽に吸引して該吸込管内を減圧させ、負圧状態となった吸込管の吸引力によって取水域から水を吸い込んで当該取水槽に溜った水を前記水中ポンプにより排出するものである。
【００１０】
また、本発明は、前記陸上設置型取水装置において、噴射管が吐出管から分岐した導管であり、水中ポンプによって取水槽内の水が噴射管から噴射されるものである。
【００１１】
さらに、本発明は、前記いずれかの陸上設置型取水装置において、吸込管にはさらに取水域に投入されるストレーナが接続されていると共に該ストレーナには吐出管から分岐した逆流管が接続されており、当該ストレーナが、前記吸込管を接続する吸込室と、該吸込室に併設されて前記逆流管を接続する逆流室と、当該吸込室の取水域側吸込口と当該逆流室の取水域側排出口とが同一方向に開口して共通する開口室を形成して該開口室を前記吸込口と前記排出口とを含んで仕切壁によって二分してなりそれぞれ濾過部によって塞がれた一対の流出入口と、当該流出入口の一方の流出入口には該一方の流出入口を共通して有する前記仕切壁により二分された一方の吸込口と同じく前記仕切壁により二分された一方の排出口とが形成されていると共に前記他方の流出入口には該他方の流出入口を共通して有する前記仕切壁により二分された他方の吸込口と同じく前記仕切壁により二分された他方の排出口とが形成されて前記一方の吸込口を塞いだときには前記他方の吸込口が開くと共に前記他方の吸込口を塞いだときには前記一方の吸込口が開く前記吸込口に設けられた第一逆作動弁と、前記一方の排出口を塞いだときには前記他方の排出口が開くと共に前記他方の排出口を塞いだときには前記一方の排出口が開く前記排出口に設けられた第二逆作動弁とから構成され、前記第一逆作動弁によって一方の吸込口が閉じられたときには前記第二逆作動弁によって一方の排出口が開き、前記第二逆作動弁によって他方の排出口が開かれたときには前記第一逆作動弁によって他方の吸込口が閉じるようになっているものである。
【発明の効果】
【００１２】
本発明によれば、噴射する水流によって発生する空気流を利用して吸込管内を減圧させ、負圧状態の吸込管によって取水域の水を取水槽へ吸引して取水するようにしたので、水中ポンプのみによって取水・排水を実施することができるから、水中ポンプを内蔵した取水装置を取水域中に設けないで陸上に設置することができ、これにより、取水域の土木工事が不要となり、仮設することができるので、容易に移設することができる。
【発明を実施するための最良の形態】
【００１３】
以下、本発明の実施の形態を図面に基づき説明する。
【００１４】
実施の形態１．
【００１５】
図１は本発明の実施の形態に係る陸上設置型取水装置の動作原理を説明する概略縦断面側面図、図２は陸上設置型取水装置の概略縦断面側面図であり、図１において水中ポンプ及び吐出管は省略され、図２において排気管は省略されている。また、図３〜図６は陸上設置型取水装置の取水・排水動作を説明する概略縦断面側面図である。これらの図において、１は河川（取水域）２近傍の堤地３（図２参照）に設置されて河川２から陸上に連設した吸込管４を介して当該河川水５を陸上に吸引して取水する陸上設置型取水装置（以下、「取水装置」ともいう。）であり、当該取水装置１は、河川水５を吸込管４を介して取水して溜める、水中ポンプ６（図２参照）を内設した取水槽７と、当該水中ポンプ６と、水中ポンプ６に接続されて取水槽７に溜った河川水５を排出する吐出管８（図２参照）と、吸込管４から分岐して該吸込管４の分岐位置より上方の取水槽７上部に連通されて該取水槽７内に開口した吸気管９と、吸気管９に間隙を有して内包されて吸気管９の取水槽側開口へ向かって延設された噴射管10と、取水槽７の天井に外方に向かって突設されて取水槽７に吸引された空気を排気する排気管11とから構成され、前記噴射管10は前記吐出管８から分岐して配管され、前記吸込管４の河川側端にはストレーナ12（図２参照）が接続されて該ストレーナ12は河川２に投入されている。なお、13は吸込管４に設けられた吸込用電動弁、14は吐出管８に設けられた吐出用電動弁（図２参照）、15は吸気管９に設けられた吸気用電動弁、16は噴射管10に設けられた噴射用電動弁、17は排気管11に設けられた排気用電動弁である。
【００１６】
次に、動作について説明する。
【００１７】
先ず、図３に示すように、吸込用電動弁13を閉じて噴射管10から流水を噴射させるための水を取水槽７に溜める。次いで、図４に示すように、吸気用電動弁15と噴射用電動弁16と排気用電動弁17とを開け、噴射管10が分岐した位置の吐出管開口側に設けられた吐出用電動弁14を閉じた状態で水中ポンプ６を起動させ、取水槽７内の溜水を吸い上げて吐出管８を介して噴射管10から高速な水流として吸気管９を介して取水槽７内へ向かって噴射させる。これにより、吸気管９内の空気が水流に巻き込まれて取水槽７へ押し出され、押圧された取水槽７内の空気は排気管11から排出される。そして、吸気管９内は減圧されて負圧になり、吸気管９が開口した吸込管４内の空気が吸気管９内へ連続して吸い込まれて該吸込管４内の圧力が除々に低下する。この結果、負圧状態となった吸気管９内の吸引力によって吸込管４内が減圧されて負圧となり、大気圧に押されている河川水面から吸込管４を通って河川水５が取水され、図５に示すように、吸気管９を通って取水槽７に吸い上げられる。そして、河川水５によって満たされて取水槽７全体が満タンになれば、図６に示すように、吸気用電動弁15と噴射用電動弁16と排気用電動弁17とが閉じられ、吸込用電動弁13と吐出用電動弁14とが開けられて取水槽７に溜った水５が吐出管８から外方へ排出される。
【００１８】
本実施の形態では、噴射管10から吸気管９を介して取水槽７内へ向かって水流を噴射させて吸込管４内の空気を吸気管９から取水槽７に吸引して吸込管４を減圧させ、負圧状態となった吸気管９の吸引力によって河川２から水５を吸い込み、取水槽７に溜った取水５を水中ポンプ６によって排水しているので、水中ポンプ６を内蔵した取水装置１を河川内に設けないで陸上に設置することができ、これにより、仮設することができるので、容易に移設することができる。
【００１９】
実施の形態２．
【００２０】
本実施の形態は前記実施の形態１に係る陸上設置型取水装置の具体例であり、図７は内部を透視して一部省略して示す陸上設置型取水装置の平面図、図８は内部を透視して一部省略して示す陸上設置型取水装置の側面図、図９及び図１０は図２に図示するストレーナの透視斜視図、図１１〜図１６はストレーナの動作を説明する図であり、図１１及び図１４は内部を透視して一部断面にて示すストレーナの正面図、図１２及び図１５は内部を透視して一部断面にて示すストレーナの吸込室側側面図、図１３及び図１６は内部を透視して一部断面にて示すストレーナの逆流室側側面図である。これらの図において、図１〜図６と同一符号は同一又は相当部分を示す。
【００２１】
本実施の形態に係る取水装置１は、取水槽７と補水槽18と配管室19と制御室20とから構成されている。そして、補水槽18には補水ポンプ21が設けられて途中に給水用電動弁22を配設した給水管23によって隣接する取水槽７へ接続され、噴射管10から噴射させる噴射水を取水槽７へ供給している。
【００２２】
また、配管室19では、吐出管８から分岐した噴射接続24が噴射用電動弁16を介して噴射管10に接続され、当該分岐位置から吐出管開口側の吐出管８には吐出用電動弁14が設けられ、当該分岐位置より取水槽７寄りの吐出管８からさらに別途逆流接続管25が分岐して該逆流接続管25には逆流用電動弁26が配設されている。
【００２３】
前記取水装置１の逆流接続管25には吸込管４と平行して連設された逆流管27が配管されており、吸込管４と逆流管27とは河川２に投入したストレーナ12に接続されている。
【００２４】
前記ストレーナ12は、前記吸込管４が接続されて該吸込管４へ吸い込まれる河川水５で満たされる吸込室28と、吸込室28に併設されて、前記逆流管27が接続されて該逆流管27から排出される取水槽７からの逆流水で満たされる逆流室29と、吸込室28の取水域側吸込口30と逆流室29の取水域側排出口31とが同一方向に開口して共通する空間となっている開口室32とを備え、当該開口室32は吸込口30と排出口31とを含んで開口室32から外方まで延設された仕切壁33によって二分されて一対の流出入口34,35が形成されており、流出入口34,35の一方の流出入口34においては該一方の流出入口34を共通して有するように前記仕切壁33により二分された一方の吸込口36（図１２参照）と同じく前記仕切壁33により二分された一方の排出口37（図１３参照）とが形成され、他方の流出入口35においては該他方の流出入口35を共通して有するように前記仕切壁33により二分された他方の吸込口38（図１２参照）と同じく前記仕切壁33により二分された他方の排出口39（図１３参照）とが形成され、前記吸込口30には一方の吸込口36を塞いだときには他方の吸込口38が開き、他方の吸込口38を塞いだときには一方の吸込口36が開く第一逆作動弁40が設けられ、前記排出口31には一方の排出口37を塞いだときには他方の排出口39が開き、他方の排出口39を塞いだときには一方の排出口37が開く第二逆作動弁41が設けられており、前記流出入口34,35はそれぞれ河川２の塵等を濾す濾過板（濾過部）42,43によって塞がれている。前記第一・第二逆作動弁40,41は断面の一辺が同一長さのＬ字型に曲げられたＬ型板形状であって、隅角を回動軸として吸込口30と排出口31とにおける仕切壁33の内方側端面にそれぞれ逆向きで軸着されており、第一逆作動弁40によって一方の吸込口36が閉じた場合には第二逆作動弁41によって一方の排出口37が開き、第一逆作動弁40によって一方の吸込口36が開いた場合には第二逆作動弁41によって一方の排出口37が閉じるようになっている。
【００２５】
次に、動作について説明する。
【００２６】
前記各電動弁は閉じられており、取水装置１の制御室20に設けられた駆動ボタン（図示せず。）を押せば、給水弁22が開いて補水ポンプ21の作動により、給水管23を通って補水槽18から取水槽７へ噴射用の溜水が補充される。そして駆動中、所定量を満たすように給水される。
【００２７】
また、ストレーナ12においては、図９に示すように、第一逆作動弁40によって吸込口30における一方の吸込口36が閉じられ、第二逆作動弁41によって排出口31における他方の排出口39が閉じられている。
【００２８】
続いて、取水槽７の溜水が所定量になれば、吸気用電動弁15と噴射用電動弁16と排気用電動弁17とが開いて水中ポンプ６によって取水槽７から汲み上げられた噴射用の溜水が吐出管８から噴射用接続管24を通って、図４及び図５に示すように、噴射管10から吸気管９を介して取水槽７内に向かって噴射され、吸気管９を通って吸込管４から取水槽７へ吸引された空気が排気管11から外方へ排気される。
【００２９】
これにより、河川水５が、図１２に示すように、ストレーナ12の他方の流出入口35に設けられた濾過板43を通過して他方の流出入口35から他方の吸込口38を通って吸込室28を経由して吸込管４に吸い込まれる。そして、図５に示すように、吸込管４と吸気管９と取水槽７とが河川水５で満たされれば、図６に示すように、吸気用電動弁15と噴射用電動弁16と排気用電動弁17とが閉じ、吸込用電動弁13と吐出用電動弁14が開いて取水槽７に溜った河川水５が吐出管開口から排出される。
【００３０】
前記逆流用電動弁26はタイマーにより開閉され、例えば、初回逆流用電動弁26が開いた場合には、逆流用電動弁26の開作動に連動して前記第一逆作動弁40が回動して該第一逆作動弁40によって一方の吸込口36が開き（図１０及び図１５参照）、前記第二逆作動弁41が回動して該第二逆作動弁41によって他方の排出口39が開く（図１０及び図１６参照）。
【００３１】
従って、図１５に示すように、河川水５がストレーナ12の一方の流出入口34に設けられた濾過板42を通過して一方の流出入口34から一方の吸込口36を通って吸込室28を経由して吸込管４に吸い込まれ、図１６に示すように、取水槽７からの逆流水が吐出管８から逆流接続管25を通って逆流管27から逆流室29内に放出され、さらに、他方の排出口39を通って他方の流出入口35から該他方の流出入口35に設けられた濾過板43を通過して河川２に放出され、これにより、逆流水によって当該濾過板43に付着した塵等が河川中に排出される。そして、前記逆流用電動弁26が開いている状態においては、タイマーにより前記第一逆作動弁40と前記第二逆作動弁41とが逆回動動作している。
【００３２】
このように、第一逆作動弁40によって一方の吸込口36が閉じられたときには第二逆作動弁41によって一方の排出口37が開き、第二逆作動弁41によって他方の排出口39が開かれたときには第一逆作動弁40の回動によって他方の吸込口38が閉じ、第一逆作動弁40と第二逆作動弁41とが逆動作するようになっているので、濾過板42,43が交互に洗浄される。
【００３３】
なお、第一逆作動弁40と第二逆作動弁41との切り替えは、濾過板42,43からの吸込負圧が設定値を超えることにより濾過板42,43が塵芥で閉塞し始めたと判断して反転させるようになっていてもよい。
【００３４】
本実施の形態によれば、陸上設置型取水装置１が陸上設備でありながら、ポンプ呼び水用の真空ポンプ設備が不要であり、河川内に取水槽７を設置する必要がないので、そのための河川内土木工事が不要となる。また、取水が不要な時期においては簡単に取り外して移設できる。また、本実施の形態におけるストレーナ12によれば、濾過部42,43を通る流水が交互に逆流するようになっているので、取水・洗浄を交互に実施することができるから、濾過部42,43が塵芥で詰まることなく、長く取水を続けることができる。
【００３５】
実施の形態３．
【００３６】
本実施の形態は、前記実施の形態２におけるストレーナ12の変形例であり、図１７及び図１８はストレーナの透視斜視図である。これらの図において、図９〜図１６と同一符号は同一又は相当部分を示す。
【００３７】
当該ストレーナ12では、仕切壁33により二分された流出入口34,35は塞がれており、一方の流出入口34の密閉室と他方の流出入口35の密閉室とからそれぞれ同じ方向に一対の流出入管44、45が突設されている。また、逆流室29には第二逆作動弁41の作動により開いた方の排出口37,39へ回転して向く一対の整流ガイド板46,46が回動可能に設けられており、当該整流ガイド板46,46は第二逆作動弁41とは逆方向に作動して逆流水の流れを助ける働きをしている。さらに、第一逆作動弁40は長方形の一枚からなり、一方の吸込口36或いは他方の吸込口38へ回転して倒れることにより、倒れた方の吸込口36,38を塞ぐようになっている。
【００３８】
本実施の形態においても前記実施の形態２と同様の作用・効果を奏することができる。
【実施例１】
【００３９】
図１９は噴射管の縦断面図であり、 図１〜図１８を参照して陸上設置型取水装置１の実施例について説明する。
【００４０】
外形が幅112.5cm×奥行き109.5cm×高さ160.0cmのボックスに内径100mmの吸込管４，吐出管８及び逆流管27と、先端側が内径35.7mmの吸気管９（図１９参照）と、外径34mm及び内径25mmの噴射管10（図１９参照）とを配管した陸上設置型取水装置１（図７、図８参照）を使用し、取水槽７には口径100mm、吐出量2.0m３/min、全揚程30m、出力15kw、電圧200Ｖ、電流54Ａ、回転数3600rpm、周波数60Hzの水中タービンポンプ６を内設した。そして、当該取水装置１を水面から６mの高さに設置した。
【００４１】
取水装置１を駆動させ、噴射速度22.0m/sec（62Hz）で噴射管10から流水を噴射させ、河川水５を取水したところ、電流値43Ａにおいて、80秒後の吸込揚程が河川２の水面から上方に向かって6.0mの高さに達した。このときの水中タービンポンプ６の吐出圧力は0.42Ｍpaであり、吸気管９からの排気量は最大0.39m３/min、吸込管４の吸込圧力は-0.06Ｍpaであった。また、最高真空度は-9.3m〜-9.4mであった。
【産業上の利用可能性】
【００４２】
本発明によれば、陸上設置型取水装置を簡易に設置することができるから、消融雪設備、かんがい用用水設備、排水設備、その他、揚水設備として利用できる。
【００４３】
従って、本発明の産業上利用性は非常に高いといえる。
【図面の簡単な説明】
【００４４】
【図１】本発明の実施の形態に係る陸上設置型取水装置の動作原理を説明する概略縦断面側面図である。
【図２】陸上設置型取水装置の概略縦断面側面図である。
【図３】陸上設置型取水装置の取水・排水動作を説明する概略縦断面側面図である。
【図４】陸上設置型取水装置の取水・排水動作を説明する概略縦断面側面図である。
【図５】陸上設置型取水装置の取水・排水動作を説明する概略縦断面側面図である。
【図６】陸上設置型取水装置の取水・排水動作を説明する概略縦断面側面図である。
【図７】内部を透視して一部省略して示す陸上設置型取水装置の平面図である。
【図８】内部を透視して一部省略して示す陸上設置型取水装置の側面図である。
【図９】図２に図示するストレーナの透視斜視図である。
【図１０】図２に図示するストレーナの透視斜視図である。
【図１１】内部を透視して一部断面にて示すストレーナの正面図である。
【図１２】内部を透視して一部断面にて示すストレーナの吸込室側側面図である。
【図１３】内部を透視して一部断面にて示すストレーナの逆流室側側面図である。
【図１４】内部を透視して一部断面にて示すストレーナの正面図である。
【図１５】内部を透視して一部断面にて示すストレーナの吸込室側側面図である。
【図１６】内部を透視して一部断面にて示すストレーナの逆流室側側面図である。
【図１７】ストレーナの透視斜視図である。
【図１８】ストレーナの透視斜視図である。
【図１９】実施例における噴射管の縦断面図である。
【符号の説明】
【００４５】
１  取水装置（陸上設置型取水装置）
２  河川（取水域）
３  堤地
４  吸込管
５  河川水（水、取水）
６  水中ポンプ
７  取水槽
８  吐出管
９  吸気管
１０  噴射管
１１  排気管
１２  ストレーナ
１３  吸込用電動弁
１４  吐出用電動弁
１５  吸気用電動弁
１６  噴射用電動弁
１７  排気用電動弁
１８  補水槽
２７  逆流管
２８  吸込室
２９  逆流室
３０  吸込口
３１  排出口
３２  開口室
３３  仕切壁
３４  一方の流出入口
３５  他方の流出入口
３６  一方の吸込口
３７  一方の排出口
３８  他方の吸込口
３９  他方の排出口
４０  第一逆作動弁
４１  第二逆作動弁
４２、４３  濾過板（濾過部）
４４，４５  流出入管
４６  整流ガイド板
【図１】
2006342563.tif 000003
【図２】
2006342563.tif 000004
【図３】
2006342563.tif 000005
【図４】
2006342563.tif 000006
【図５】
2006342563.tif 000007
【図６】
2006342563.tif 000008
【図７】
2006342563.tif 000009
【図８】
2006342563.tif 000010
【図９】
2006342563.tif 000011
【図１０】
2006342563.tif 000012
【図１１】
2006342563.tif 000013
【図１２】
2006342563.tif 000014
【図１３】
2006342563.tif 000015
【図１４】
2006342563.tif 000016
【図１５】
2006342563.tif 000017
【図１６】
2006342563.tif 000018
【図１７】
2006342563.tif 000019
【図１８】
2006342563.tif 000020
【図１９】
2006342563.tif 000021
【手続補正書】
【提出日】平成17年8月31日(2005.8.31)
【手続補正１】
【補正対象書類名】明細書
【補正対象項目名】００２２
【補正方法】変更
【補正の内容】
【００２２】
また、配管室19では、吐出管８から分岐した噴射接続管24が噴射用電動弁16を介して噴射管10に接続され、当該分岐位置から吐出管開口側の吐出管８には吐出用電動弁14が設けられ、当該分岐位置より取水槽７寄りの吐出管８からさらに別途逆流接続管25が分岐して該逆流接続管25には逆流用電動弁26が配設されている。
【手続補正２】
【補正対象書類名】明細書
【補正対象項目名】００２８
【補正方法】変更
【補正の内容】
【００２８】
続いて、取水槽７の溜水が所定量になれば、吸気用電動弁15と噴射用電動弁16と排気用電動弁17とが開いて水中ポンプ６によって取水槽７から汲み上げられた噴射用の溜水が吐出管８から噴射接続管24を通って、図４及び図５に示すように、噴射管10から吸気管９を介して取水槽７内に向かって噴射され、吸気管９を通って吸込管４から取水槽７へ吸引された空気が排気管11から外方へ排気される。